(57)【要約】【課題】  施工業者に対する監視制御装置への設定入力の煩を改善し、また、監視制御装置への設定入力ミスを防止する。【解決手段】  第１通信線Ｌ１に接続され、第１通信線Ｌ１を介して複数の第１機器と通信を行う第１通信部２１と、機器を識別するためのアドレス情報を登録するためのアドレス情報テーブルを記憶するテーブル記憶部２３０と、機器に付与されているアドレス情報の範囲を記憶するアドレス情報範囲記憶部２３１と、第１通信部を用いて、アドレス情報範囲記憶部２３１に記憶されているアドレス情報の範囲でポーリングを行って、機器のアドレス情報を取得するアドレス情報取得処理を実行するポーリング処理部２５１と、ポーリングによって取得したアドレス情報を、該アドレス情報の送信元の機器と対応付けてアドレス情報テーブルに登録するテーブル処理部２５２とを備える機器監視制御装置２０である。【選択図】      図１
2006060708.tif 000002
【特許請求の範囲】
【請求項１】
機器を監視及び／又は制御する機器監視制御装置であって、
第１通信線に接続され、該第１通信線を介して複数の前記機器と通信を行う第１通信部と、
機器を識別するためのアドレス情報を登録するためのアドレス情報テーブルを記憶するテーブル記憶部と、
前記機器に付与されているアドレス情報の範囲を記憶するアドレス情報範囲記憶部と、
前記第１通信部を用いて前記アドレス情報範囲記憶部に記憶されているアドレス情報の範囲でポーリングを行って、前記機器のアドレス情報を取得するアドレス情報取得処理を実行するポーリング処理部と、
前記ポーリングによって取得したアドレス情報を該アドレス情報の送信元の機器と対応付けて前記アドレス情報テーブルに登録するテーブル処理部とを備えること
を特徴とする機器監視制御装置。
【請求項２】
第２通信線に接続され、前記機器に関する情報を管理するセンターサーバと前記第２通信線を介して通信を行う第２通信部とを更に備え、
前記第２通信部は、前記アドレス情報テーブルに登録されている機器のアドレス情報を前記センターサーバに送信すること
を特徴とする請求項１に記載の機器監視制御装置。
【請求項３】
ポーリングによって取得した前記アドレス情報を前記アドレス情報テーブルに登録する登録モードを含む複数のモードから１のモードを選択的に設定可能なモード設定部を更に備え、
前記モード設定部は、前記センターサーバからの登録モードを設定する指令を前記第２通信部で受け付けた場合に登録モードを設定し、
前記ポーリング処理部は、登録モードが前記モード設定部によって設定されている場合にのみ前記アドレス情報取得処理を実行すること
を特徴とする請求項１又は２に記載の機器監視制御装置。
【請求項４】
前記アドレス情報テーブルに前記アドレス情報を登録する第１登録モードを含む複数のモードから１のモードを選択的に設定可能なモード設定部を更に備え、
前記モード設定部は、ユーザから登録モードを設定する操作を受け付けた場合に登録モードを設定し、
前記ポーリング処理部は、登録モードが前記モード設定部によって設定されている場合に前記アドレス情報取得処理を実行すること
を特徴とする請求項１又は２に記載の機器監視制御装置。
【請求項５】
報知部を更に備え、
前記ポーリング処理部は、ポーリングで取得した前記機器のアドレス情報に基づいて通信可能な機器の数を取得し、
前記報知部は、該数を報知することを特徴とする請求項１〜４の何れかに記載の機器監視制御装置。
【請求項６】
前記モード設定部は、前記登録モードに加え、機器から送信されたアドレス情報を前記アドレス情報テーブルに登録する第２登録モードを含む複数のモードから１のモードを選択的に設定可能であり、
前記テーブル処理部は、前記モード設定部に第２登録モードが設定されており、かつ、前記第１通信部で前記第１通信部から機器のアドレス情報を受信した場合に、前記アドレス情報の送信元の機器と対応付けて前記アドレス情報をアドレス情報テーブルに登録し、
前記第１通信部は、前記モード設定部に第２登録モードが設定されており、かつ、機器のアドレス情報を受信した場合に、該アドレス情報を送信した前記機器に対して受信確認を通知すること
を特徴とする請求項１〜５の何れかに記載の機器監視制御装置。
【請求項７】
機器を監視及び／又は制御する機器監視制御装置であって、
第１通信線に接続され、該第１通信線を介して複数の前記機器と通信を行う第１通信部と、
前記機器を識別するためのアドレス情報を登録するためのアドレス情報テーブルを記憶するテーブル記憶部と、
前記第１通信部を用いて前記アドレス情報を前記第１通信部から受信した場合に、該受信したアドレス情報をアドレス情報テーブルに登録するテーブル処理部と、
前記第１通信部を用いて前記アドレス情報を前記第１通信部から受信した場合に、該アドレス情報を送信した前記機器に対して前記第１通信部を用いて受信確認を通知する通知処理部と
を備えることを特徴とする機器監視制御装置。
【請求項８】
請求項１〜７の何れかに記載の機器監視制御装置と、前記機器監視制御装置と第１通信線を介して接続された機器と、前記機器監視制御装置と第２通信線を介して接続されたセンターサーバとを備える機器監視制御システム。
【発明の詳細な説明】
【技術分野】
【０００１】
本発明は、複数の通信端末と通信を行うことで、通信端末の集中的な監視又は／及び制御を行う機器監視制御装置及び該機器監視制御装置を備えた機器監視制御システムに関する。
【背景技術】
【０００２】
集合住宅、庁舎、ホール、商業ビル及びオフィスビル等のビルには、照明機器、空調機器、計測機器及び防犯機器等の様々な機器が設置されている。近年では、通信技術等の進展により、これら機器は、通信線によって相互に接続されることによってネットワーク化されている。該ネットワークには、機器監視制御装置が接続され、機器監視制御装置によって複数の機器を集中的に監視及び制御する機器監視制御システムが提供されている（例えば、特許文献１を参照）。
【０００３】
図８は、従来の機器監視制御システム１００を示す図である。機器監視制御システム１００は、ビルＢ内に設置されている。機器監視制御システム１００は、機器監視制御装置としてのゲートウェイ装置（以下「ＧＷ装置」と記載する）２と、該ＧＷ装置２に通信線Ｌ１を介して通信可能に接続された、複数の機器３とを備える。ＧＷ装置２は、複数の機器３と通信を行うことで、これら機器３を集中的に監視及び制御する。機器３との通信を行うために、ＧＷ装置２は、複数の機器３のアドレス情報を記憶する。アドレス情報は、機器３０に固有の識別子である。通信線Ｌ１は、例えば、通信プロトコルにＲＳ４８５等を用いたＣバス等のローカルバスである。
【０００４】
機器監視制御システム１００では、ＧＷ装置２は、インターネットＮＴ及びルータ４を介して、センターサーバ５と通信可能に接続されている。センターサーバ５は、例えばサービス提供業者が管理する管理センター（図略）等に設置される。センターサーバ５は、機器監視制御システム１００の敷設されるビル毎に、ＧＷ装置２及び機器３の接続状態等の、機器監視制御システム１００の状態を管理する。また、センターサーバ５は、ＧＷ装置２及び機器３を識別するためのアドレス情報を記憶しており、これによって、ＧＷ装置２と通信を行うとともに、ＧＷ装置２を介して機器３と通信を行う。この通信によって、センターサーバ５は、機器３に関する情報を取得し、該取得した情報を管理している。このセンターサーバ５で管理する情報は、機器監視制御システム１００の施工業者や、ユーザ等の求めに応じて、例えば、サービス提供業者等によって提供される。
【０００５】
センターサーバ５とＧＷ装置２との間には、ルータ４が配置される。ルータ４は、通信線Ｌ２を介して、ＧＷ装置２とともに、パーソナルコンピュータ６（以下「パソコン６」と記載する。）と接続されている。ルータ４は、ＧＷ装置２、パソコン６からデータを受信するとともに、センターサーバ５からデータを受信する。ルータ４は、ルーティングテーブルを記憶して、センターサーバ５からデータを受信したときに、該ルーティングテーブルと受信したデータに含まれる送信先のＩＰアドレスとを参照させて、受信したデータを、ＧＷ装置２とパソコン６との間で振り分けて送信する。また、ルータ４は、ＧＷ装置２からデータを受信した場合に、インターネットＮＴを介して、センターサーバ５へデータを送信する。
【特許文献１】特開２００２−３１５２３４号公報
【発明の開示】
【発明が解決しようとする課題】
【０００６】
従来の機器監視制御システムでは、ＧＷ装置や機器をビルに設置した後に、ＧＷ装置に対して、機器のアドレス情報を入力していた。この入力は、アドレス情報の入力用のアプリケーションを搭載したパソコン等をＧＷ装置に接続し、該パソコンの操作部を用いて、機器監視制御システムの施工業者が手入力等で行っていた。ゆえに、施工業者等に対して、ＧＷ装置への入力作業の煩を与えていた。また、施工業者の入力ミスによって、ＧＷ装置への機器の監視及び／又は制御が行えない場合があった。
【０００７】
本発明は、上記事情に鑑みて為されたものであり、施工業者に対する監視制御装置への設定入力の煩を改善し、また、監視制御装置への設定入力ミスによって、機器の監視又は／及び制御が行えない不具合を効果的に防止することを目的としている。
【課題を解決するための手段】
【０００８】
上記目的を達成するために、本発明の第１の手段に係る機器監視制御装置は、機器を監視及び／又は制御する機器監視制御装置であって、第１通信線に接続され、該第１通信線を介して複数の前記機器と通信を行う第１通信部と、機器を識別するためのアドレス情報を登録するためのアドレス情報テーブルを記憶するテーブル記憶部と、前記機器に付与されているアドレス情報の範囲を記憶するアドレス情報範囲記憶部と、前記第１通信部を用いて前記アドレス情報範囲記憶部に記憶されているアドレス情報の範囲でポーリングを行って、前記機器のアドレス情報を取得するアドレス情報取得処理を実行するポーリング処理部と、前記ポーリングによって取得したアドレス情報を該アドレス情報の送信元の機器と対応付けて前記アドレス情報テーブルに登録するテーブル処理部とを備えることを特徴とする。
【０００９】
また、上記機器監視制御装置は、第２通信線に接続され、前記機器に関する情報を管理するセンターサーバと前記第２通信線を介して通信を行う第２通信部とを更に備え、前記第２通信部は、前記アドレス情報テーブルに登録されている機器のアドレス情報を前記センターサーバに送信することを特徴とする。
【００１０】
また、これら上記した機器監視制御装置は、ポーリングによって取得した前記アドレス情報を前記アドレス情報テーブルに登録する登録モードを含む複数のモードから１のモードを選択的に設定可能なモード設定部を更に備え、前記モード設定部は、前記センターサーバからの登録モードを設定する指令を前記第２通信部で受け付けた場合に登録モードを設定し、前記ポーリング処理部は、登録モードが前記モード設定部によって設定されている場合にのみ前記アドレス情報取得処理を実行することを特徴とする。
【００１１】
そして、これら上記した機器監視制御装置は、前記アドレス情報テーブルに前記アドレス情報を登録する第１登録モードを含む複数のモードから１のモードを選択的に設定可能なモード設定部を更に備え、前記モード設定部は、ユーザから登録モードを設定する操作を受け付けた場合に登録モードを設定し、前記ポーリング処理部は、登録モードが前記モード設定部によって設定されている場合に前記アドレス情報取得処理を実行することを特徴とする。
【００１２】
また、これら上記した機器監視制御装置は、報知部を更に備え、前記ポーリング処理部は、ポーリングで取得した前記機器のアドレス情報に基づいて通信可能な機器の数を取得し、前記報知部は、該数を報知することを特徴とする。
【００１３】
そして、これら上記した機器監視制御装置では、前記モード設定部は、前記登録モードに加え、機器から送信されたアドレス情報を前記アドレス情報テーブルに登録する第２登録モードを含む複数のモードから１のモードを選択的に設定可能であり、前記テーブル処理部は、前記モード設定部に第２登録モードが設定されており、かつ、前記第１通信部で前記第１通信部から機器のアドレス情報を受信した場合に、前記アドレス情報の送信元の機器と対応付けて前記アドレス情報をアドレス情報テーブルに登録し、前記第１通信部は、前記モード設定部に第２登録モードが設定されており、かつ、機器のアドレス情報を受信した場合に、該アドレス情報を送信した前記機器に対して受信確認を通知することを特徴とする。
【００１４】
本発明の第２の手段に係る機器監視制御装置は、機器を監視及び／又は制御する機器監視制御装置であって、第１通信線に接続され、該第１通信線を介して複数の前記機器と通信を行う第１通信部と、前記機器を識別するためのアドレス情報を登録するためのアドレス情報テーブルを記憶するテーブル記憶部と、前記第１通信部を用いて前記アドレス情報を前記第１通信部から受信した場合に、該受信したアドレス情報をアドレス情報テーブルに登録するテーブル処理部と、前記第１通信部を用いて前記アドレス情報を前記第１通信部から受信した場合に、該アドレス情報を送信した前記機器に対して前記第１通信部を用いて受信確認を通知する通知処理部とを備えることを特徴とする。
【００１５】
また、本発明の第３の手段に係る機器監視制御システムは、上述した機器監視制御装置と、前記機器監視制御装置と第１通信線を介して接続された機器と、前記機器監視制御装置と第２通信線を介して接続されたセンターサーバとを備える。
【発明の効果】
【００１６】
本発明に従えば、ポーリング処理部によって、アドレス情報範囲記憶部に記憶されているアドレス情報の範囲で、ポーリングが行われてアドレス情報が取得される。この取得されたアドレス情報は、テーブル処理部によって、アドレス情報の送信元の機器と対応付けて、記憶部で記憶されるアドレス情報テーブルに登録される。これによって、機器監視制御装置に、操作者が手入力でアドレス情報を入力することなく、アドレス情報を入力することができる。ゆえに、操作者に対する機器監視制御装置の操作性を向上させることができる。更に、機器監視制御装置に記憶されるアドレス情報が、手入力でアドレス情報が入力される従来技術と比較して正確なものとなり、該アドレス情報を用いて機器と通信を行う場合に、良好に通信を行うことができる。
【発明を実施するための最良の形態】
【００１７】
以下に、図面を用いて本発明の実施形態を説明する。本発明の実施形態では、機器監視制御システム１は、背景技術にかかる機器監視制御システム１００において、ＧＷ装置２に代えてＧＷ装置２０を用いるとともに、機器３に代えて機器３０を用いたものであり、背景技術に記載した内容との共通箇所の説明は省略する。各図において、同一の符号を付した構成は同一の構成であるため、説明を省略する。
【００１８】
（第１の実施形態）
以下に、図１〜図５を用いて、本発明の第１の実施形態について説明する。図１は、第１の実施形態にかかるＧＷ装置２０の機能ブロック図である。図２は、ＧＷ装置２０の記憶する機器データテーブルＴの一例を示す図である。ＧＷ装置２０は、第１通信インターフェース部（以下、「第１通信ＩＦ部」と略記する。）２１、第２通信インターフェース部（以下、「第２通信ＩＦ部」と略記する。）２２、記憶部２３、モード設定部２４、中央処理部２５及びバス２６を備えるものである。
【００１９】
第１通信ＩＦ部２１は、第１通信部の一例であり、通信線Ｌ１を介して各機器３０と通信を行うためのインターフェース回路である。第１通信ＩＦ部２１は、中央処理部２５からのデータを通信線Ｌ１の通信プロトコルに従った通信信号を生成すると共に通信線Ｌ１を介した機器３０からの通信信号を中央処理部２５が処理可能な形式のデータに変換する。
【００２０】
第２通信ＩＦ部２２は、第２通信部の一例であり、通信線Ｌ２及びインターネット等の広域ネットワークを介してセンターサーバ５と通信を行うためのインターフェース回路である。第２通信ＩＦ部２２は、中央処理部２５からのデータを通信線Ｌ２の通信プロトコル（例えば、ＴＣＰ／ＩＰ（Transmission Control Protocol/Internet  Protocol）等）に従った通信信号に生成すると共に通信線Ｌ２からの通信信号を中央処理部２５が処理可能な形式のデータに変換する。
【００２１】
記憶部２３は、機器データテーブルＴ（アドレス情報テーブルの一例）を記憶するテーブル記憶部２３０及びアドレス情報範囲記憶部２３１を備える。図２を参照して、機器データテーブルＴには、機器３０の機器名称と、機器ＩＤ（アドレス情報の一例）が登録される。機器ＩＤは、機器３０に固有の識別子であり、例えば０〜３１までの整数等である。アドレス情報範囲記憶部２３１は、各機器３０に付与され得る機器ＩＤの範囲を示すデータを記憶する。機器ＩＤの範囲を示すデータの例示としては、例えば、通信プロトコル  にＲＳ４８５を用いる場合には、３２個の機器３０を接続可能であるため、「０〜３１」までの範囲の整数値である。このデータは、例えば、第２通信ＩＦ部２２が用いる通信プロトコルに応じて、製造段階や出荷段階等で予め記憶される。
【００２２】
また、記憶部２３は、本ＧＷ装置２０を動作させるための制御プログラムや、機器データテーブルＴに機器３０のアドレス情報を登録するための機器情報登録プログラム等の各プログラム、各プログラムの実行に必要な情報等を記憶すると共に、中央処理部２５に対する所謂ワーキングメモリである。記憶部２３は、例えば、各プログラムやこれに必要な情報等を記憶する、例えばＲＯＭ（Read Only Memory）等の不揮発性の記憶素子、ＥＥＰＲＯＭ（Electrically Erasable Programmable Read Only Memory）等の書換え可能な不揮発性の記憶素子、及び、ワーキングメモリと成る例えばＲＡＭ（Random Access Memory）等の揮発性の記憶素子を備えて構成される。
【００２３】
モード設定部２４は、複数のモードから１のモードの設定を行う指令が入力され、該指令に従って、本ＧＷ装置２０のモード設定を行うものである。複数のモードには、通常モードと登録モードとが含まれる。通常モードとは、機器３０の監視及び制御を行うモードであり。登録モードとは、機器データテーブルＴに対して機器３０の情報を登録するモードである。本実施形態では、センターサーバ５が、モード設定の指令を行う。モード設定部２４は、例えば、モード設定を切り変えるためのソフトウェアスイッチ等を備え、第２通信ＩＦ部２２で該モード設定の指令を受信した場合に、第２通信ＩＦ部２２から該指令が入力され、スイッチングすることで、通常モード及び登録モードを含む複数のモードから１のモードを選択的に設定する。
【００２４】
中央処理部２５は、例えば、マイクロプロセッサやその周辺回路等で構成され、機能的に、通信処理部２５１と、テーブル処理部２５２とを備えると共に、各制御プログラムに従い、第１通信ＩＦ部２１、第２通信ＩＦ部２２、記憶部２３及びモード設定部２４の動作を当該機能に応じて制御する。通常モードでは、通信処理部２５１は、機器３０に対する制御信号を送信したり、機器３０から監視情報として、機器３０の動作状態を表す情報を受信する。また、通信処理部２５１は、通信プロトコルの変換を行いながら、第１通信ＩＦ部２１及び第２通信ＩＦ部２２を用いてセンターサーバ５と機器３０との間で通信信号を送受信する。
【００２５】
一方、登録モードでは、通信処理部２５１は、登録処理（アドレス情報取得処理の一例）を行う。登録処理では、通信処理部２５１は、第１通信ＩＦ部２１を用いて、各機器３０に対してポーリングを行う。そして、通信処理部２５１は、第１通信ＩＦ部２１でポーリングに応えた機器３０から受け付けた通信信号をテーブル処理部２５２に通知する。また、通信処理部２５１は、テーブル処理部２５２からのデータをセンターサーバ５に送信すべく第２通信ＩＦ部２２に通知する。
【００２６】
テーブル処理部２５２は、通信処理部２５１から機器３０の機器ＩＤや機器名称が通知された場合に、これらの情報を相互に対応付けて機器データテーブルＴに登録する（機器ＩＤを機器ＩＤの送信元の機器３０と対応付けて機器データテーブルＴに登録する一例）。
【００２７】
そして、これら第１通信ＩＦ部２１、第２通信ＩＦ部２２、記憶部２３、モード設定部２４及び中央処理部２５は、データを相互に交換することができるように、バス２６にそれぞれ接続される。
【００２８】
図３は、第１の実施形態にかかる機器３０の機能ブロック図である。図４は、機器３０からＧＷ装置２０に送信される機器情報Ｄを示す図である。
【００２９】
機器３０は、ＧＷ装置２０の監視及び制御の対象であり、電気をエネルギー源として稼動する装置である。機器２０は、例えば、照明器具及び空調装置などのオフィス環境や住戸環境を調節する装置、エレベータやエスカレータ等の人の移動を補助する移動補助設備、電力計、ガスメータ及び量水器等の計量装置、煙センサ、湿度センサ及び照明センサ等のセンサ、電子鍵装置等の住戸設備、テレビジョン、ビデオテープレコーダ、ＤＶＤレコーダ及び洗濯機等の家電製品、コンピュータ等の情報処理装置、電話機及びファクシミリ装置等の通信機器、そして、脈拍計、体温計、血中酸素濃度計及び心電図計等の医療機器、そして、これらの機器のオンオフを行うスイッチ等である。
【００３０】
図３を参照して、機器３０は、ローカルバス通信インターフェース部（以下「ローカルバス通信ＩＦ部」と記載する）３１、記憶部３２、機能部３３及び中央処理部３４を備える。ローカルバス通信ＩＦ部３１は、通信線Ｌ１を介してＧＷ装置２０と通信を行うためのインターフェース回路であり、ＧＷ装置２０の第１通信ＩＦ部２１と同じ通信プロトコルが用いられる。
【００３１】
記憶部３２は、本機器３０の機器名称及び機器ＩＤを記憶する機器情報記憶部３２０を備える。また、記憶部３２は、本機器３０を動作させるための制御プログラムや、ＧＷ装置２０の送信要求の問い合わせに応えて、図４に示す本機器３０の機器名称及び機器ＩＤを示すデータを含む機器情報Ｄを送信するプログラム等の各プログラム、各プログラムの実行に必要な情報等を記憶すると共に、中央処理部３４に対する所謂ワーキングメモリである。記憶部３２は、例えば、各プログラムやこれに必要な情報等を記憶する、例えばＲＯＭ等の不揮発性の記憶素子、ＥＥＰＲＯＭ等の書換え可能な不揮発性の記憶素子、及び、ワーキングメモリと成る例えばＲＡＭ等の揮発性の記憶素子を備えて構成される。
【００３２】
機能部３３は、機器１１の機能を実現する部位であり、例えば機器３０が照明器具である場合には蛍光灯等の発光部を含む照明機構であり、機器３０が電気鍵である場合には、扉等の施錠を行うロック機構である。
【００３３】
中央処理部３４は、例えば、マイクロプロセッサやその周辺回路等で構成され、機能的に、通信処理部３４０と、機器情報処理部３４１と、機能処理部３４２とを備えると共に、各制御プログラムに従い、ローカルバス通信ＩＦ部３１及び記憶部３２の動作を制御する。通信処理部３４０は、ＧＷ装置２０から受信した、機能部３３の状態を示すことを要求する監視要求に応えて、機能部３３の状態（例えば、電源のオンオフ、稼動状態、故障状態、検知状態等）をＧＷ装置２０に対して送信したり、ＧＷ装置３０から制御信号を受信した場合に、機能処理部３４２に通知する。また、通信処理部３４０は、ＧＷ装置２０の送信要求の問い合わせに応えて、機器情報処理部３４１に機器情報Ｄを作成させて、ローカルバス通信ＩＦ部３１を用いて、ＧＷ装置２０へ送信する（ポーリング）。機器情報処理部３４１は、機器情報記憶部３２０を参照して、本機器３０の機器名称及び機器ＩＤを取得して、これらの機器名称及び機器ＩＤを含む機器情報Ｄを作成する。
【００３４】
機能処理部３４２は、通信処理部３４０から通知された制御信号に従って、機能部３３の機能に応じた動作制御を行うものである。機器３０が照明器具である場合には、機能部３３のオンオフの切り換えを行い、電気鍵である場合には、施錠／開錠の切り換えを行うように機能部３３の動作を制御する。
【００３５】
これらローカルバス通信ＩＦ部３１、記憶部３２、中央処理部３３及び機能部３４は、データを相互に交換することができるように、バス３５にそれぞれ接続される。
【００３６】
図５は、登録モードが設定されている場合に実行される、図１に示すＧＷ装置２０の登録処理を示すフローチャートである。通信処理部２５１は、第２通信ＩＦ部２２でセンターサーバから登録モードを設定する指令を受信したときに、該指令をモード設定部２４に出力する。通信処理部２５１は、モード設定部２４に対して、該指令に従って登録モードを設定させ、該登録モードの設定を契機に、本処理を実行する。
【００３７】
まず、通信処理部２５１は、ポーリングタイミングが到来したかどうかを判断する（Ｓ１）。該ポーリングタイミングは、通信処理部２５１の内蔵するタイマー等の計時手段によって計時される。ポーリングタイミングが到来したと判断しない場合には（Ｓ１でＮＯ）、繰り返しステップＳ１を実行し、ポーリングタイミングが到来したと判断する場合には（Ｓ１でＹＥＳ）、通信処理部２５１は、アドレス情報範囲記憶部２３１に記憶されるアドレス情報の範囲における各アドレス情報を用いて、順次ポーリングを行う（Ｓ２）。具体的には、通信処理部２５１は、アドレス情報範囲記憶部２３１を参照し、記憶されている機器ＩＤの範囲を用いて、順次送信要求の問い合わせを行う。例えば、通信処理部２５１は、アドレス情報範囲記憶部２３１に「０〜３１」の機器ＩＤの範囲が記憶されている場合には、「０」の機器ＩＤから送信要求の問い合わせを行う。問い合わせを受けた機器３０では、通信処理部３４０は、機器情報処理部３４１に機器情報Ｄを作成させ、作成させた機器情報ＤをＧＷ装置２０に対して送信する。
【００３８】
ＧＷ装置２０では、通信処理部２５１は、機器情報Ｄを受信した場合に、テーブル処理部２５２に対して機器情報Ｄを出力し、テーブル処理部２５２に、機器情報Ｄに含まれる機器名称及び機器ＩＤを示すデータを機器データテーブルＴに登録させる（Ｓ３）。
【００３９】
一方、送信要求の問い合わせに応答して、機器情報Ｄを受信しない場合において、通信処理部２５１は、送信要求の問い合わせが所定回数（任意に設定可能であるが、例えば、３〜５回）に達していない場合には、再度同じ機器ＩＤを用いて送信要求を行う。送信要求の問い合わせが所定回数に達している場合には、通信処理部２５１は、ポーリングが終了したかどうかを判断する（Ｓ４）。ポーリングが終了したとの判断は、アドレス情報範囲記憶部２３１に記憶されている機器ＩＤの範囲で、全ての機器ＩＤ（例では、「０」に機器ＩＤから「３１」の機器ＩＤまで）についてポーリングを行った場合に行われる。
【００４０】
ポーリングが終了したと判断しない場合には（Ｓ４でＮＯ）、通信処理部２５１は、再度ステップＳ２を実行し、通信処理部２５１は、次の機器ＩＤ（例では、「１」）に対して、送信要求の問い合わせを行う。このようにして、通信処理部２５１は、アドレス情報範囲記憶部２３１に記憶されている機器ＩＤの範囲で、全ての機器ＩＤ（例では、「０」の機器ＩＤから「３１」の機器ＩＤまで）について、順番に送信要求の問い合わせを行う。
【００４１】
ポーリングが終了したと判断する場合には（Ｓ４でＹＥＳ）、通信処理部２５１は、機器データテーブルＴに登録されている機器名称や機器ＩＤを示すデータをセンターサーバ５に対して送信する（Ｓ５）。センターサーバ５は、各機器３０の機器名称及び機器ＩＤを登録するためのテーブルを記憶し、受信した機器名称及び機器ＩＤを示すデータに基づいて、テーブルに記憶する機器名称及び機器ＩＤを示すデータを更新する。これによって、センターサーバ５に対して、ＧＷ装置２０に設定されている機器３０の機器ＩＤを通知することができるとともに、センターサーバ５で記憶される機器名称及び機器ＩＤを示すデータと、ＧＷ装置２０に記憶される機器名称及び機器ＩＤを示すデータとを一致させることができる。
【００４２】
センターサーバ５は、機器名称及び機器ＩＤを示すデータを受信したときに、ＧＷ装置３０のモード設定を通常モード等の他のモード設定に変更する指令を、ＧＷ装置３０に対して送信する。通信処理部２５１は、該指令を受信したときに、モード設定部２４に通常モード等の他のモードに設定を変更させた後、本処理を終了させる。
【００４３】
このように、モード設定の変更の指令は、センターサーバ５から送信され、通信処理部２５１は、該指令を受信した場合に、モード設定部２４に出力して、モード設定の変更をさせる。このように、センターサーバ５によって、モード設定部２４による設定モードの指令が送信されるため、機器監視制御システム１の施工業者等に対して、モード設定の変更を行う煩を与えることがない。
【００４４】
上記構成によって、第１の実施形態にかかる機器監視制御システム１では、ＧＷ装置２０が、アドレス情報範囲記憶部２３１に記憶されている機器ＩＤを用いて、全ての機器ＩＤに対してポーリングを行うことで、通信線Ｌ１に接続されている機器３０から機器情報が受信される。そして、受信した機器情報に含まれる機器ＩＤ及び機器名称が、テーブル処理部２５２によって機器データテーブルＴに登録される。これによって、機器監視制御システム１の施工業者に対して、ＧＷ装置２０に手入力で機器名称及び機器ＩＤを登録する煩わしさを与えることを防止することができる。更に、手入力で機器名称及び機器ＩＤを登録する従来技術に比較して、ＧＷ装置２０に、正確な機器ＩＤを入力することができる。
【００４５】
なお、機器３０は、通信線を介して、他の機器と接続され、ＧＷ装置２０は、機器３０を介して、他の機器の機器ＩＤ等を取得する構成としてもよい。例えば、機器３０は、電力線を介して、照明等の家電機器と電力線搬送通信を行うようになっており、該家電機器に対してポーリングを行うこと等で、機器ＩＤを取得する構成であってもよい。この場合には、ＧＷ装置２０は、機器３０に対してポーリングを行うことで、機器３０の機器ＩＤ等だけではなく、家電機器の機器ＩＤを取得することとしてもよい。
【００４６】
（第２の実施形態）
第１の実施形態にかかる機器監視制御システム１では、センターサーバ５からモード設定の変更指令を受信し、該指令に従ってモード設定が変更されるが、第２の実施形態にかかる機器監視制御システム１Ａでは、施工業者からＧＷ装置２０がモード設定の変更指令を受け付ける。第２の実施形態に係るＧＷ装置２０では、モード設定部２４は、例えば、押し釦スイッチ等のようなユーザからの操作を受け付けるハードウェアを備えて構成されるモード設定部２４Ａを備える。複数の押し釦スイッチやロータリスイッチ等で複数のモードのうち、１のモード選択（選択指令）を施工業者等から受け付けると、モード設定部２４Ａは、該選択に従って、モード設定を行う。また、通信処理部２５１は、図５で示すステップ５の実行後、モード設定を、通常モード等の他のモードに設定変更する。
【００４７】
上記構成によって、第２の実施形態では、ＧＷ装置２０によって、モード設定の選択を行うことができるため、施工業者等がモード設定の変更を希望したときに、容易にモード設定を変更することができる。
【００４８】
（第３の実施形態）
以下に、図１及び図６を用いて、第３の実施形態にかかる機器監視制御システム１Ｂを説明する。第３の実施形態では、ＧＷ装置２０は、通信線Ｌ１に通信可能に接続されている機器３０の数を、施工業者に報知する。図１を参照して、ＧＷ装置２０は、報知部の一例として、破線で示す表示部２７を更に備える。表示部２７は、例えば７セグメント等のＬＥＤ（Light Emitting Diode ）から成るディスプレイやＬＣＤ（Liquid Crystal Display ）等で実現される。
【００４９】
図６は、第３の実施形態にかかる登録処理を示すフローチャートである。第３の実施形態にかかる登録処理では、図５のフローチャートで示す登録処理に加えて、ステップＳ４の実行後に、ステップＳ１０が実行される。ステップＳ１０では、通信処理部２５１は、テーブル処理部２５２に、機器データテーブルＴを参照させて、登録されている機器ＩＤの数又は機器名称の数を取得させる。通信処理部２５１は、テーブル処理部２５２に取得させた数を、表示部２７に出力させ、通信線Ｌ１に通信可能に接続される機器３０の数として、表示部２７に表示させる。その後、通信処理部２５１は、ステップＳ５を実行する。
【００５０】
上記構成によって、第３の実施形態では、施工業者に対して、通信線Ｌ１に通信可能に接続される機器３０の数を報知することができ、施工業者に機器３０の接続状態を報知することができる。また、通信線Ｌ１に通信可能に接続される機器３０の数をセンターサーバ５に問い合わせることなく、ＧＷ装置２０は取得して、施工業者に報知することができるため、インターネットの回線が、未開設の場合等であっても、施工業者に機器３０の接続状態を報知することができる。
【００５１】
なお、ステップＳ１０は、ステップＳ４の実行後に実行されるに限定されず、ステップＳ５の実行後に実行されてもよい。
【００５２】
なお、通信線Ｌ１に通信可能に接続されている機器３０の数は、施工業者に報知可能であれば、表示部２７に表示することに限定されず、如何なる構成であってもよい。例えば、ＧＷ装置２０は、スピーカ等を備え、該スピーカを用いて、音声で報知される構成等であってもよい。
【００５３】
（第４の実施形態）
以下に、図３及び図７を用いて、本発明の第４の実施形態を説明する。本発明の第４の実施形態にかかる機器監視制御システム１Ｃでは、通常モードと、登録モードに加えて、第２登録モードが設定可能になっている。登録モードでは、ＧＷ装置２０がポーリングを行うことで、機器情報Ｄを機器３０から受信するものであるが、第２登録モードでは、機器情報Ｄの送信を要求する機器３０から、機器情報Ｄが送信されることで、ＧＷ装置２０は、機器情報Ｄを取得するものである。
【００５４】
図３を参照して、第４の実施形態では、機器３０は、表示部３６及びモード設定部３７を更に備える。表示部３６は、ＬＥＤから成るディスプレイやＬＣＤ等で実現される。モード設定部３７は、複数の押し釦スイッチや、ロータリスイッチ等のようなユーザからの操作を受け付けるハードウェアを備えて構成され、施工業者等から、登録モード、第２登録モードを含む複数のモードから１のモードを選択する指令を受け付けて、該指令に従って、モード設定を行う。また、ＧＷ装置２０における、モード設定部２４は、登録モードだけでなく、第２登録モードを含む複数のモードから１のモードを選択する指令を受け付けて、該指令に従って、モード設定を行う。モード設定部２４及びモード設定部３７で、第２登録モードが設定された場合に、通信処理部２５１及び通信処理部３４０は、後述の第２登録処理を実行する。
【００５５】
図７は、第４の実施形態にかかる第２登録処理を示すフローチャートである。本処理は、モード設定部３７によって第２登録モードが設定された場合に実行される。通信処理部３４０は、本機器３０が通信線Ｌ１に接続されたかどうかを判断する（Ｓ１１）。本機器３０が通信線Ｌ１に接続されたと判断しない場合には（Ｓ１１でＮＯ）、通信処理部３４０は、繰り返しステップＳ１１を実行し、本機器３０が通信線Ｌ１に接続されたと判断する場合には（Ｓ１１でＹＥＳ）、通信処理部３４０は、機器情報処理部３４１に機器情報Ｄを作成させ、作成させた機器情報ＤをＧＷ装置２０に送信する（Ｓ１２）。
【００５６】
ＧＷ装置２０では、通信処理部２５１は、機器情報Ｄを受信したときに、機器情報Ｄを正常に受信したことを示す認識結果通知情報を作成し、機器情報Ｄの送信元の機器３０に対して送信する。機器情報Ｄの送信元の機器３０では、通信処理部３４０が、所定時間内に、認識結果通知情報を受信したかどうかを判断する（Ｓ１３）。認識結果情報を受信したと判断しない場合には（Ｓ１３でＮＯ）、通信処理部３４０は再度ステップＳ１２を実行する。認識結果情報を受信したと判断する場合には（Ｓ１３でＹＥＳ）、通信処理部３４０は、機器情報ＤがＧＷ装置２０に正常に受信されたことを示す認識結果を表示部３６に表示させる（Ｓ１４）。その後、通信処理部３４０は、モード設定を通常モード等の他のモードに変更して、本処理を終了させる。
【００５７】
上記構成によって、第４の実施形態では、登録モードだけでなく、第２登録モードが設定されることができるようになっている。これによって、アドレス情報範囲記憶部２３１に機器ＩＤが登録されていない場合等、機器３０に付与された機器ＩＤの範囲が不明な場合であっても、第２登録モードが設定されることで、機器データテーブルＴに機器名称及び機器ＩＤを登録することができる。
【００５８】
なお、第４の実施形態では、登録モード及び第２登録モードを含む複数のモードのうち、１のモードが設定可能になっているが、登録モードが設定できず、第２登録モードだけが設定可能になっていてもよい。この場合であっても、ＧＷ装置２０に、施工業者が手入力で、機器３０の機器ＩＤを入力する必要がなくなり、施工業者に機器ＩＤの入力の煩を与えることが防止される。
【図面の簡単な説明】
【００５９】
【図１】第１の実施形態にかかるＧＷ装置の機能ブロック図である。
【図２】ＧＷ装置の記憶する機器データテーブルＴの一例を示す図である。
【図３】図３は、第１の実施形態にかかる機器の機能ブロック図である。
【図４】機器からＧＷ装置に送信される機器情報Ｄを示す図である。
【図５】登録モードが設定されている場合に実行される、図１に示すＧＷ装置の登録処理を示すフローチャートである。
【図６】第３の実施形態にかかる登録処理を示すフローチャートである。
【図７】第４の実施形態にかかる第２登録処理を示すフローチャートである。
【図８】従来の機器監視制御システムを示す図である。
【符号の説明】
【００６０】
１、１Ａ、１Ｂ、１Ｃ  機器監視制御システム
４  センターサーバ
２０  ＧＷ装置（機器監視制御装置の一例）
２１  第１通信ＩＦ部（第１通信部の一例）
２２  第２通信ＩＦ部（第２通信部の一例）
２３０        テーブル記憶部
２３１        アドレス情報範囲記憶部
２４、２４Ａ        モード設定部
２５１        通信処理部（ポーリング処理部の一例）
２５２  テーブル処理部
２７  表示部（報知部の一例）
３０  機器
Ｌ１  通信線（第１通信線）
Ｌ２  通信線（第２通信線）
Ｔ  機器データテーブル（テーブルの一例）
【図１】
2006060708.tif 000003
【図２】
2006060708.tif 000004
【図３】
2006060708.tif 000005
【図４】
2006060708.tif 000006
【図５】
2006060708.tif 000007
【図６】
2006060708.tif 000008
【図７】
2006060708.tif 000009
【図８】
2006060708.tif 000010